(57)【特許請求の範囲】
【請求項１】
工作機械、生産機械、クレーンおよびロボットの少なくともいずれか１つを操作するための操作装置（１）であって、
画像スクリーン（２）、ソフトキーボタン（３ａ，３ｂ，３ｃ，３ｄ）および操作ボタン（４）を有し、
操作画像（６’）の呼出し時に、該呼び出された操作画像（６’）を前記画像スクリーン（２）に可視化し、
当該操作画像（６’）の可視化中に前記操作ボタン（４）が押されることによって使用者メニュー（１０）を前記画像スクリーン（２）に可視化し、該使用者メニュー（１０）において、前記操作画像（６’）で呼び出された機能画像（７’）を可視化し、
当該使用者メニュー（１０）の可視化中に、１つの前記ソフトキーボタン（３ａ，３ｂ，３ｃ，３ｄ）が長押しされると、該長押しされたソフトキーボタン（３ａ，３ｂ，３ｃ，３ｄ）に、前記操作画像（６’）を割り当て、
前記長押しされたソフトキーボタン（３ａ，３ｂ，３ｃ，３ｄ）に前記操作画像（６’）を割り当てたことを示すために、前記使用者メニュー（１０）において前記各ソフトキーボタン（３ａ，３ｂ，３ｃ，３ｄ）に対応して表示されているラベル領域（５ａ”，５ｂ”，５ｃ”，５ｄ”）のうちの、前記長押しされたソフトキーボタン（３ａ，３ｂ，３ｃ，３ｄ）に属するラベル領域（５ａ”，５ｂ”，５ｃ”，５ｄ”）に、前記操作画像（６’）の記号（１１）を可視化するように構成されている、操作装置（１）。
【請求項２】
前記長押しされたソフトキーボタン（３ａ，３ｂ，３ｃ，３ｄ）に前記操作画像（６’）を割り当てた後、
前記操作ボタン（４）が押されると前記使用者メニュー（１０）を前記画像スクリーン（２）に可視化し、該使用者メニュー（１０）の可視化中に前記操作画像（６’）を割り当てたソフトキーボタン（３ａ，３ｂ，３ｃ，３ｄ）が、前記長押しの時間よりも短く押されると、該当する前記操作画像（６’）を前記画像スクリーン（２）に可視化するように構成されている、請求項１に記載の操作装置（１）。
【請求項３】
請求項１又は請求項２に記載の操作装置（１）を備えた工作機械、生産機械、クレーンまたはロボット。
【発明の詳細な説明】
【技術分野】
【０００１】
本発明は、工作機械、生産機械、クレーンおよび／またはロボットを操作するための操作装置に関する。
【０００２】
更に、本発明は、工作機械、生産機械、クレーンおよび／またはロボットを操作するための操作装置におけるソフトキーボタンへの操作画像を割り当てのための方法に関する。
【背景技術】
【０００３】
工作機械、生産機械、クレーンおよび／またはロボットの操作は、相応の操作ボタンを有する操作装置により行なわれるのが通例である。この場合にますます操作のために、いわゆるソフトキーボタンが使用される。ソフトキーボタンとは、操作装置の画像スクリーン上に表示された操作画像に依存して種々の機能を実行するボタンのことを言う。
【０００４】
工作機械、生産機械、クレーンおよび／またはロボットを操作するための操作装置におけるソフトキーボタンの割り当ては設定ファイルの複雑な変更または複雑な付加的な手間のかかる操作対話を介して実現されるのが一般的である。
【０００５】
通例の操作装置の場合に、今日では操作者は、特定の操作行為をしようとするとき、特定の操作画像に属する操作機能を実行に移すことができる前に、ソフトキーボタンの頻繁な面倒なたび重なる操作によってメニューおよび下位メニューを選択しなければならない。
【発明の開示】
【発明が解決しようとする課題】
【０００６】
本発明の課題は、工作機械、生産機械、クレーンおよび／またはロボットを操作するための操作装置におけるソフトキーボタンへの操作画像の簡単な割り付けを可能にすることにある。
【課題を解決するための手段】
【０００７】
この課題は、工作機械、生産機械、クレーンおよびロボットの少なくともいずれか１つを操作するための操作装置であって、
画像スクリーン、ソフトキーボタンおよび操作ボタンを有し、
操作画像の呼出し時に、該呼び出された操作画像を前記画像スクリーンに可視化し、
当該操作画像の可視化中に前記操作ボタンが押されることによって使用者メニューを前記画像スクリーンに可視化し、該使用者メニューにおいて、前記操作画像で呼び出された機能画像を可視化し、
当該使用者メニューの可視化中に、１つの前記ソフトキーボタンが長押しされると、該長押しされたソフトキーボタンに、前記操作画像を割り当てるように構成されている、操作装置によって解決される。
【０００８】
上記操作装置は、前記長押しされたソフトキーボタンに前記操作画像を割り当てたことを示すために、前記使用者メニューにおいて前記各ソフトキーボタンに対応して表示されているラベル領域のうちの、前記長押しされたソフトキーボタンに属するラベル領域に、前記操作画像の記号を可視化するように構成することができる。
また、前記長押しされたソフトキーボタンに前記操作画像を割り当てた後、前記操作ボタンが押されると前記使用者メニューを前記画像スクリーンに可視化し、該使用者メニューの可視化中に前記操作画像を割り当てたソフトキーボタンが、前記長押しの時間よりも短く押されると、該当する前記操作画像を前記画像スクリーンに可視化するように構成することができる。
【０００９】
本発明によれば、上記操作装置を備えた工作機械、生産機械、クレーンまたはロボットが提供される。
【発明を実施するための最良の形態】
【００１０】
本発明の実施例を図面に示し、以下において更に詳細に説明する。図面において、図１は操作画像を有する本発明による操作装置を示し、図２は呼び出された操作画像を有する本発明による操作装置を示し、図３は使用者メニューを有する本発明による操作装置を示す。
【００１１】
図１には、工作機械、生産機械、クレーンおよび／またはロボットを操作するための操作装置１が概略図の形で示されている。操作装置１は、画像スクリーン２と、画像スクリーン２の外側の縁部に配置されたソフトキーボタン３ａ，３ｂ，３ｃおよび３ｄと、操作ボタン４とを有する。画像スクリーン２によって、機能画像７とラベル領域５ａ，５ｂ，５ｃ，５ｄとを有する操作画像６が可視化される。この場合に、ラベル領域５ａ，５ｂ，５ｃ，５ｄにおいては、その都度ちょうど可視化されている操作画像に属する機能（“新規”，“開く”，“保存”，“複写”）が可視化される。この場合に、ラベル領域５ａにはソフトキーボタン３ａが、ラベル領域５ｂにはソフトキーボタン３ｂが、ラベル領域５ｃにはソフトキーボタン３ｃが、そしてラベル領域５ｄにはソフトキーボタン３ｄが割り当てられている。機能画像７においては、実施例の枠内で、ちょうど部分プログラム８が、例えばファイル（ファイル記号）の形で表示される。ラベル領域においては、それぞれ割り当てられているソフトキーボタンが押された際に実行されるそれぞれの機能が指示される。したがって、ちょうど可視化されている操作画像に依存して、それぞれのソフトキーボタンに割り当てられたラベル領域に指示された種々の機能をソフトキーボタンに割り当てることができる。ソフトキーボタン３ｂが押されることによって、例えばラベル領域５ｂにおいて指示された機能「開く」に応じて、ファイルが開かれ、同時に操作画像６’が呼び出される（図２参照）。
【００１２】
操作画像６’においては、再び機能画像７’およびラベル領域５ａ’，５ｂ’，５ｃ’，５ｄ’ならびに今や開かれた部分プログラム８のプログラム列が可視化され、このことが図２に示されている。今や操作画像６’において、ソフトキーボタン３ａはラベル領域５ａ’に応じて機能“選択”を有するのに対して、ソフトキーボタン３ｂはラベル領域５ｂ’に応じて機能“編集”を有する。ソフトキーボタン３ａおよび３ｂが押された場合には、対応するそれぞれに属する機能が実行される。
【００１３】
したがって、ソフトキーボタンには固定の機能が割り当てられているのではなくて、ちょうど呼び出されて可視化されている操作画像に依存して機能が変化する。
【００１４】
特定の機能を実行するために、通常の操作装置の場合には、使用者が所望の機能を実行することができる操作画像に到達する前に、頻繁にソフトキーボタンを押すことにより、操作画像の形で存在する種々のメニューおよび特に下位メニューを押し分けて通過しなければならない。
【００１５】
本発明はここから出発して、ソフトキーボタンへの定められた操作画像の簡単な割り当ての可能性によって、使用者が所望の機能を実行することができるまでに、操作画像により可視化されるメニューをソフトキーボタンにより個別に押し分けて通過しなければならないということなしに、相応の操作機能を実行する高速の可能性を使用者にもたらす。
【００１６】
本発明によれば、操作装置１はこのために操作ボタン４を有し、操作ボタン４には使用者メニューが固定的に割り付けられている。ちょうど画像スクリーンに呼び出されて可視化された図２による操作画像６’が、このために使用者メニューにおいて、特定の選択されたソフトキーボタンを割り当てられる。このために、可視化された操作画像６’において、操作者によって操作ボタン４が押される。操作ボタン４が押されることによって、図３に示された使用者メニュー１０が可視化される。使用者メニュー１０は、再び機能画像７”およびラベル領域５ａ”，５ｂ”，５ｃ”，５ｄ”を有する。これらのラベル領域５ａ”，５ｂ”，５ｃ”，５ｄ” はそれぞれに属するソフトキーボタン３ａ，３ｂ，３ｃ，３ｄに割り当てられている。今、例えば最後に呼び出された操作画像６’がソフトキーボタン３ａに割り当てられるべきである場合には、操作ボタン４が押された後に，使用者によって長い時間にわたってソフトキーボタン３ａが押されることだけが必要である。このようなやり方で長い時間にわたってソフトキーボタン３ａが押されることによって、ソフトキーボタン３ａが、呼び出された操作画像６’に割り当てられる。本発明の枠内において、長い時間とは０．５秒ないし６０秒の時間であると理解される。操作画像６’へのソフトキーボタン３ａへの割り当て後に、当該ソフトキーボタンに操作画像６’が割り当てられたことを操作者に示すために、ソフトキーボタン３ａに属する使用者メニュー１０におけるラベル領域５ａ”上において、操作画像６’の記号１１が可視化される。
【００１７】
操作ボタン４が押された後に、操作画像６'の最後に呼び出された機能画像７'が使用者メニュー１０において機能画像７"として可視化される。
【００１８】
最後に呼び出された操作画像６'は、既に述べたように、今や使用者メニュー１０においてソフトキーボタン３ａを割り当てられている。次に、ここで使用者によって操作画像６'を、全体の任意に表示される操作画像から、したがって全体の任意のメニューから、次によって簡単に直接的に呼び出すことができる。すなわち、操作者が操作ボタン４を押しかつ操作者が操作ボタン４を押した後に使用者メニュー１０が可視化され、しかる後に操作者が使用者メニューにおける操作画像６'に既に予め割り当てられた使用者メニューにおけるソフトキーボタン３ａを短時間だけ押すことによって、簡単に直接的に呼び出すことができる。使用者メニューにおけるソフトキーボタン３ａが押された後に、操作者に今や直ちに操作画像６'が図２にしたがって可視化され、操作者は直接的に、操作画像６'に属しかつラベル領域５ａ'，５ｂ'，５ｃ'，５ｄ'に示されている機能を、それぞれに付属するソフトキーボタン３ａ，３ｂ，３ｃ，３ｄを押すことによって実行することができる。したがって、操作者が所望の機能を実行することができる所望の操作画像に到達するまでにソフトキーボタンにより種々の操作画像を押し分けて通過するという面倒なことはもはや必要でなく、本発明によって操作者にいわばちょうど必要とされる操作画像への直接アプローチが可能にされる。
【００１９】
もちろん、接触感応画像スクリーン（タッチスクリーン）を使用する場合に、ソフトキーボタンは、仮想ボタンの形で画像スクリーン上に可視化されていてもよく、とりわけラベル領域とソフトキーボタンとが１つの可視ユニットをなすようにラベル領域の位置に可視化されるとよい。
【図面の簡単な説明】
【００２０】
【図１】操作画像を有する本発明による操作装置を示す概略図
【図２】呼び出された操作画像を有する本発明による操作装置を示す概略図
【図３】使用者メニューを有する本発明による操作装置を示す概略図
【符号の説明】
【００２１】
１              操作装置
２              画像スクリーン
３ａ〜３ｄ      ソフトキーボタン
４              操作ボタン
５ａ〜５ｄ      ラベル領域
５ａ’〜５ｄ’  ラベル領域
５ａ”〜５ｄ”  ラベル領域
６，６'        操作画像
７，７'，７"  機能画像
８              部分プログラム
９              プログラム列
１０            使用者メニュー
【図１】
0005511182.tif 000002
【図２】
0005511182.tif 000003
【図３】
0005511182.tif 000004